(57)【要約】      （修正有）【課題】構造が簡単な感電防止コンセントを提供する。【解決手段】感電防止コンセントは台板、該台板上に嵌合する台体、複数の電極、複数の絶縁ブロックを含む。該台板上には挿入孔を開設し、該電極は該台体上に設置し、該台板の挿入孔下方に位置し、該絶縁ブロックは該挿入孔と該電極の間に設置し、該絶縁ブロック上には上下に貫通し、該台板上の挿入孔と対応する穿孔を開設する。よってプラグのプラグ金属片が本考案感電防止コンセントにまだ完全に挿入されていない時には、該プラグ金属片は該絶縁ブロックとのみ接触し、こうして該プラグ金属片と該感電防止コンセントの間は電気的に導通していない。これにより感電防止の機能を達成し、しかもその構造は簡単で、製造及び組み立てに便利である。【選択図】図１
0003143630.tif 000002
【実用新案登録請求の範囲】
【請求項１】
台板、台体、複数の電極、複数の絶縁ブロックを含み、
該台板上には挿入孔を開設し、
該台体は該台板上に嵌合し、
該複数の電極は該台体上に設置し、該台板の挿入孔下方に位置し、
該複数の絶縁ブロックは該挿入孔と該電極の間に設置し、しかも該絶縁ブロック上には上下に貫通し、該台板上の挿入孔と対応する穿孔を開設することを特徴とする感電防止コンセント。
【請求項２】
前記絶縁ブロックの穿孔内には弾力片を設置することを特徴とする請求項１に記載の感電防止コンセント。
【請求項３】
前記絶縁ブロックは収容設置部を備え、該収容設置部上には該穿孔を並列開設し、該穿孔孔壁の下端は内側へと接触壁を延伸し、該弾力片は「Ｕ」形を呈する湾折部を備え、該湾折部の下側縁は外へと向かい湾折し接触部を延伸し、該接触部は該収容設置部の接触壁上に接触固定することを特徴とする請求項２に記載の感電防止コンセント。
【請求項４】
前記収容設置部は該穿孔の間に定位孔を開設し、該台体は定位柱を備え、該定位柱は該定位孔中に挿入設置されることを特徴とする請求項３に記載の感電防止コンセント。
【請求項５】
前記台板は該挿入孔辺縁位置において下方へと複数の凸ブロックを突出し、該絶縁ブロックは相互に対応する凸ブロックの間に設置することを特徴とする請求項１に記載の感電防止コンセント。
【請求項６】
前記電極は第一電極と第二電極により組成し、該感電防止コンセントはさらにゼロ線端子と２本のライブ線端子を備え、該第一電極は該ゼロ線端子の下側縁から延伸し、該第二電極は該ライブ線端子の下側縁から延伸し、該絶縁ブロックは該挿入孔と該第二電極の間に設置することを特徴とする請求項１に記載の感電防止コンセント。
【考案の詳細な説明】
【技術分野】
【０００１】
本考案はコンセントに関し、特に感電防止コンセントに関する。
【背景技術】
【０００２】
コンセント装置は日常の作業及び生活に広く応用されており、コンセントとプラグを挿入接続し電気エネルギーの伝送を実現する。コンセント装置の電極は銅製挿入口式設計を採用するため、プラグの挿入接続端子をコンセント装置に挿入したばかりの時には、プラグの挿入接続端子は既にコンセント装置の電極に接触し、電気的導通を達成している。このため、この時に使用者が不注意でプラグの挿入接続端子に触れ、感電してしまう事故がしばしば起きている。
【０００３】
特許文献１は感電防止コンセント装置を掲示する。それはコンセントハウジング、コンセント芯カバー、コンセント芯、コンセント電極、第一弾片、第二弾片、導線を備える。該コンセント芯カバーは該コンセントハウジング内に嵌設し、該コンセントハウジングと一体に連結する。該第一弾片は該コンセント芯カバー上に装置し、しかも該導線は該第一弾片と接続する。該第二弾片及び該電極は共に該コンセント芯内に設置し、電気的に連接し、該コンセント芯は回転可能状態で該コンセント芯カバー内に設置する。使用時には、プラグを電極の間に挿入し、該コンセント芯をある角度回転させ、該第一弾片と該第二弾片を電気的に連接させる。しかし、該コンセント装置は該コンセント芯カバーと多数の弾片を使用する必要があり、回転方式により感電防止効果を達成するため、必要な部品が比較的多く、その構造を複雑にしてしまっている。
【０００４】
【特許文献１】中華人民共和国特許第０３１１７８８６．３号明細書
【考案の開示】
【考案が解決しようとする課題】
【０００５】
本考案が解決しようとする課題は、上記公知技術に存在する欠陥に対して、構造が簡単な感電防止コンセントを提供することである。
【０００６】
上記課題を解決するため、本考案は下記の感電防止コンセントを提供する。
感電防止コンセントは台板、該台板上に嵌合する台体、複数の電極、複数の絶縁ブロックを含み、
該台板上には挿入孔を開設し、
該電極は該台体上に設置し、該台板の挿入孔下方に位置し、
該絶縁ブロックは該挿入孔と該電極の間に設置し、該絶縁ブロック上には上下に貫通し、該台板上の挿入孔と対応する穿孔を開設する。
【０００７】
本考案感電防止コンセントは電極上方に絶縁ブロックを設置するため、しかも該絶縁ブロック上には上下に貫通し、しかも該台板上の挿入孔と対応する穿孔を開設し、電極は該台体上に設置し、該台板の挿入孔の下方に位置し、こうしてプラグのプラグ金属片がまだ完全に挿入されていない時には、該プラグ金属片は該絶縁ブロックとのみ接触し、こうして該プラグ金属片と該感電防止コンセントの間は電気的に導通せず、これにより感電防止の機能を達成し、しかもその構造は簡単で、製造及び組み立てに便利である。
【課題を解決するための手段】
【０００８】
請求項１の考案は、台板、台体、複数の電極、複数の絶縁ブロックを含み、
該台板上には挿入孔を開設し、
該台体は該台板上に嵌合し、
該複数の電極は該台体上に設置し、該台板の挿入孔下方に位置し、
該複数の絶縁ブロックは該挿入孔と該電極の間に設置し、しかも該絶縁ブロック上には上下に貫通し、該台板上の挿入孔と対応する穿孔を開設することを特徴とする感電防止コンセントとしている。
請求項２の考案は、前記絶縁ブロックの穿孔内には弾力片を設置することを特徴とする請求項１に記載の感電防止コンセントとしている。
請求項３の考案は、前記絶縁ブロックは収容設置部を備え、該収容設置部上には該穿孔を並列開設し、該穿孔孔壁の下端は内側へと接触壁を延伸し、該弾力片は「Ｕ」形を呈する湾折部を備え、該湾折部の下側縁は外へと向かい湾折し接触部を延伸し、該接触部は該収容設置部の接触壁上に接触固定することを特徴とする請求項２に記載の感電防止コンセントとしている。
請求項４の考案は、前記収容設置部は該穿孔の間に定位孔を開設し、該台体は定位柱を備え、該定位柱は該定位孔中に挿入設置されることを特徴とする請求項３に記載の感電防止コンセントとしている。
請求項５の考案は、前記台板は該挿入孔辺縁位置において下方へと複数の凸ブロックを突出し、該絶縁ブロックは相互に対応する凸ブロックの間に設置することを特徴とする請求項１に記載の感電防止コンセントとしている。
請求項６の考案は、前記電極は第一電極と第二電極により組成し、該感電防止コンセントはさらにゼロ線端子と２本のライブ線端子を備え、該第一電極は該ゼロ線端子の下側縁から延伸し、該第二電極は該ライブ線端子の下側縁から延伸し、該絶縁ブロックは該挿入孔と該第二電極の間に設置することを特徴とする請求項１に記載の感電防止コンセントとしている。
【考案の効果】
【０００９】
上記のように、本考案感電防止コンセントは第二電極上方に設置する絶縁ブロックにより、プラグを感電防止コンセントに挿入する時、プラグ金属片は先ず絶縁ブロックの弾力片内に挿入される。こうしてプラグ金属片が感電防止コンセントに挿入されたばかりの時、プラグ金属片と感電防止コンセント間は電気的に連接しておらず、よって感電防止機能を達成することができる。しかもその構造は簡単で、製造及び組み立てに便利である。
【考案を実施するための最良の形態】
【００１０】
図１に示すように、本考案実施例の感電防止コンセント１は４個のコンセントユニットを備える３孔コンセントである。それは台体１０、ゼロ線端子２０、２本のライブ線端子３０、複数の絶縁ブロック４０、該台体１０上に嵌合する台板５０を含む。
【００１１】
該台体１０は底板１１を備え、該底板１１の周縁には上方へと突出し側壁１２を有する。該底板１１上は垂直に上方へと延伸し複数の隔絶板１３を有し、該各隔絶板１３は複数の収容部１４を取り囲み形成する。該底板１１上はさらに垂直に延伸し複数の固定支持台１５と定位柱１６を有し、該固定支持台１５上には２個の係合支持孔１５１を開設する。
【００１２】
該ゼロ線端子２０は細長い形状を呈する第一導電部２１を備え、該第一導電部２１の上側縁は垂直に湾折し第一固定支持部２２を延伸する。該第一固定支持部２２の両側縁は共に垂直に下方へと湾折し第一係合支持部２３を延伸する。該第一導電部２１の下側縁は垂直に湾折し、およそ「Ｕ」形を呈する複数の第一電極２４を延伸する。
【００１３】
該ライブ線端子３０の構造は、該ゼロ線端子２０の構造と凡そ相同である。それは細長い形状の第二導電部３１、該第二導電部３１の上側縁より垂直に湾折し延伸する第二固定支持部３２、該第二固定支持部３２の両側縁から共に垂直に下方へと湾折し延伸する第二係合支持部３３、該第二導電部３１の下側縁から延伸する第二電極３４を備える。
【００１４】
図２に示すように、該絶縁ブロック４０は収容設置部４１、弾力片４２を備える。該収容設置部４１上には、該収容設置部４１を上下に貫通する２個の穿孔４１１を並列開設する。該穿孔４１１の孔壁の下端は内部へと、一定の幅の接触壁４１２を延伸する。該収容設置部４１上の該２個の穿孔４１１の間には、さらに定位孔４１３を開設する。該弾力片４２は該穿孔４１１内に設置する。それは絶縁材料或いは金属材料により製造する。該弾力片４２は湾折し「Ｕ」形を呈する湾折部４２１を備え、該湾折部４２１の下側縁は外側へと湾折し接触部４２２を延伸する。該湾折部４２１の上側縁は外へと傾斜し導接片４２３を延伸する。該弾力片４２の接触部４２２は該収容設置部４１の接触壁４１２上に接触固定する。
【００１５】
図１、図３に示すように、該台板５０は頂板５１を備える。該頂板５１の周縁は下方へと延伸し側板５２を有する。該頂板５１上には複数組の挿入孔５３を開設する。しかも該頂板５１は該挿入孔５３辺縁において下方へと突出し複数の凸ブロック５４を有する。
【００１６】
図１、図４、図５に示すように、該ゼロ線端子２０と該ライブ線端子３０は、該台体１０内に並列設置し、該第一、第二係合支持部２３、３３は該台体１０の対応する係合支持孔１５１内にそれぞれ挿入する。該第一電極２４と該第二電極３４は該台体１０の収容部１４内にそれぞれ対応し収容される。該台板５０は該台体１０上に蓋合する。該絶縁ブロック４０は該台板５０の相互に対応する凸ブロック５４の間に挿入設置され、しかも該絶縁ブロック４０は相互に対応する隔絶板１３の上方に位置する。こうして該絶縁ブロック４０の相互に対応する穿孔４１１は該第二電極３４の上方にそれぞれ位置し、該台板５０上の相互に対応する挿入孔５３と正対応する。該台体１０の定位柱１６は該絶縁ブロック４０の定位孔４１３中に挿入される。
【００１７】
図４、図５に示すように、プラグ２を挿入する時には、該プラグ２のプラグ金属片２０１は、該絶縁ブロック４０の導入接続片４２３の導引により、該湾折部４２１内に挿入される。この時、該プラグ金属片２０１は該第一電極２４及び該第二電極３４とはまだ電気的に連接していない。図６、図７に示すように、該プラグ２を押し続けると、相互に対応する該プラグ金属片２０１は該第二電極３４内にそれぞれ挿入される。こうして該プラグ２と該感電防止コンセント１は電気的に連接する。この時、該プラグ金属片２０１は該感電防止コンセント１中に完全に挿入されるため、感電事故が発生する恐れはない。
【００１８】
上記のように、本考案感電防止コンセント１は該第二電極３４上方に設置する絶縁ブロック４０により、該プラグ２を該感電防止コンセント１に挿入する時、該プラグ金属片２０１は先ず該絶縁ブロック４０の弾力片４２内に挿入される。こうして該プラグ金属片２０１が該感電防止コンセント１に挿入されたばかりの時、該プラグ金属片２０１と該感電防止コンセント１間は電気的に連接しておらず、よって感電防止機能を達成することができる。その構造は簡単で、製造及び組み立てに便利である。
【図面の簡単な説明】
【００１９】
【図１】本考案感電防止コンセントの立体分解図である。
【図２】本考案感電防止コンセントの絶縁ブロックの断面図である。
【図３】本考案感電防止コンセントの台板と絶縁ブロックの立体組合せ図である。
【図４】プラグ装置を本考案コンセント装置にまだ完全に挿入していない状態の断面図である。
【図５】図４中Ｖ部分の拡大図である。
【図６】プラグ装置を本考案コンセント装置に完全に挿入した状態の断面図である。
【図７】図６中ＶＩＩ部分の拡大図である。
【符号の説明】
【００２０】
１  感電防止コンセント
１０  台体
１１  底板
１２  側壁
１３  隔絶板
１４  収容部
１５  固定支持台
１５１  係合支持孔
１６  定位柱
２０  ゼロ線端子
２１  第一導電部
２２  第一固定支持部
２３  第一係合支持部
２４  第一電極
３０  ライブ線端子
３１  第二導電部
３２  第二固定支持部
３３  第二係合支持部
３４  第二電極
４０  絶縁ブロック
４１  収容設置部
４１１  穿孔
４１２  接触壁
４１３  定位孔
４２  弾力片
４２１  湾折部
４２２  接触部
４２３  導接片
５０  台板
５１  頂板
５２  側板
５３  挿入孔
５４  凸ブロック
２  プラグ
２０１  プラグ金属片
【図１】
0003143630.tif 000003
【図２】
0003143630.tif 000004
【図３】
0003143630.tif 000005
【図４】
0003143630.tif 000006
【図５】
0003143630.tif 000007
【図６】
0003143630.tif 000008
【図７】
0003143630.tif 000009